(57)【要約】【課題】  電極端子の固定を強固にすることで素子体との間の電気的接続が切断されるのを防止可能な蓄電素子を提供する。【解決手段】  正極端子２０３の角状突設部２０３ｄが角状であり、センター端子２０５の壁部２０５ｄの内側と当接されることでお互いの間で回転はされない。同様に、絶縁ワッシャ２０７の壁部２０７ａとセンター端子２０５の基部２０５ａ間でもお互いの間で回転はされない。更に、封口板３０１と絶縁ワッシャ２０７の壁部２０７ａ間でもお互いの間で回転はされない。このため、正極端子２０３は外装容器２１に固定された封口板３０１との間で回転はされなくなる。【選択図】        図６
2006313795.tif 000002
【特許請求の範囲】
【請求項１】
長尺状の集電箔と、
該集電箔の長辺に沿った帯状部を残して前記集電箔の少なくとも片面に形成された長尺状の電極とからなる第１の電極体及び第２の電極体と、
前記第１の電極体と前記第２の電極体の間に介在する長尺状のセパレータと、
前記第１の電極体及び前記第２の電極体とそれぞれ電気的に接続して電流を外部に取り出す第１の外部端子及び第２の外部端子と、
電解液と、
前記第１の電極体、前記第２の電極体、前記セパレータ及び電解液を収容し、前記第２の外部端子を備える又は前記第２の外部端子の機能を有する金属ケースと、
前記第１の外部端子が貫通される封口板貫通口を有し、前記金属ケースを封口するための封口板と、
該封口板と前記第１の外部端子との間に介在され、前記第１の外部端子が貫通される絶縁体貫通口を有する絶縁体とを備える蓄電素子であって、
前記第１の電極体と前記第２の電極体は、セパレータを介して捲回されて柱状の素子体を形成し、
前記第１の電極体の帯状部及び前記第２の電極体の帯状部は互いに反対側にセパレータからはみ出るように配置されており、
前記絶縁体と前記封口板間及び前記絶縁体と前記第１の外部端子間は係止され該第１の外部端子が前記封口板に対して回転されないことを特徴とする蓄電素子。    
【請求項２】
前記絶縁体と前記第１の外部端子間には、前記第１の外部端子が貫通されるセンター端子貫通口を有すると共に前記絶縁体の絶縁体貫通口に貫通するセンター端子を備え、
該センター端子と前記絶縁体間及び該センター端子と前記第１の外部端子間は係止され該第１の外部端子が前記封口板に対して回転されないことを特徴とする請求項１記載の蓄電素子。
【発明の詳細な説明】
【技術分野】
【０００１】
本発明は蓄電素子に関わり、特に電極端子の固定を強固にすることで素子体との間の電気的接続が切断されるのを防止可能な蓄電素子に関する。
【背景技術】
【０００２】
電気二重層キャパシタ、電解コンデンサや電池等は、内部の素子体からの集電を行い、この素子体と外部接続用の端子間の電気的な接続を行うための集電構造を有している。
従来の集電構造を有する電気二重層キャパシタの平面図及び縦断面図を図１８に示す。なお、このような集電構造を有するコンデンサとして、特許文献１が知られている。
【０００３】
図１８において、電気二重層キャパシタの単体セル５０では、図示しない電解液が含浸された柱状の素子体１が、底部２１ａを有する円筒状の外装容器２１に収容されており、この外装容器２１の開口部２１ｂが封口板３１により封口されている。封口板３１は外装容器２１に対して溶接されている。封口板３１の中央部には端子の貫通される穴が設けられている。
【０００４】
このとき、素子体１は、電解液との界面に電気二重層を形成するための一対の長尺帯状の電極体と、この電極体相互間に配置されたセパレータとが積層されて構成されており、これらの電極体及びセパレータを巻き芯１１周りに捲回することで素子体１が形成されている。電極体は、その図中上端側と下端側とがそれぞれ突設された帯状部１７及び帯状部１９を有している（この帯状部の詳細については後述する）。そして、この帯状部１７の上端及び帯状部１９の下端はそれぞれ集電板１３、集電板１５と接続されている。帯状部１７及び帯状部１９は、巻き芯１１から外装容器２１にかけて径方向に見てほぼ等間隔に突設されている。
【０００５】
集電板１３の中心上部には正極端子２３が溶接により一体化されている。この正極端子２３の外周には下端に鍔部２５ａを有するセンター端子２５が配設されている。センター端子２５の鍔部２５ａの上には封口板３１の穴の内周縁を挟むように絶縁ワッシャ２７及び絶縁ワッシャ２９が配設され、絶縁ワッシャ２９は、一端が正極端子２３に係止されたサラバネ３２により押止されている。封口板３１、絶縁ワッシャ２７及び絶縁ワッシャ２９の間にはＯリング３３が配設されている。なお、底部２１ａの中央には注液孔３５が配設され、ゴム栓３７により封止されている。
【特許文献１】特開２００４−１２８３１１号公報
【発明の開示】
【発明が解決しようとする課題】
【０００６】
ところで、従来、正極端子２３に対してバスバーをボルト締めする場合や、このバスバーに対して外部から何らかの力が加わった場合に、回転力となり、サラバネ３２による押止が弱いと正極端子２３が回転するおそれがあった。
【０００７】
この間の事情を図１９及び図２０の正極端子周りの分解斜視図を基に説明する。図１９は斜め上方より見た分解斜視図であり、一方図２０は斜め下方より見た分解斜視図である。図１９及び図２０において、正極端子２３は、円板状の底面２３ａに対して中央より柱状の端子部２３ｂが突設されている。端子部２３ｂの先端内側にはボルト穴２３ｃが刻設されている。そして、このボルト穴２３ｃには、図示しないバスバーを取り付ける際にバスバー上部よりボルトが螺入されるようになっている。
【０００８】
センター端子２５は鍔部２５ａより突設された円筒状突設部２５ｂを有し、その円筒状突設部２５ｂの中央には正極端子２３の端子部２３ｂが貫通される貫通穴２６が形成されている。円筒状突設部２５ｂの外壁には周状に溝２５ｃが刻設されている。封口板３１は、中空円板状底面３１ａの上面から周状に突設された外周壁３１ｂを有する。そして、この中空円板状底面３１ａの下端面及び上端面にはそれぞれリング状の絶縁ワッシャ２７、２９が当接されるようになっている。サラバネ３２は、中空円錐状の胴部３２ａを有し、この胴部３２ａの上端面には円筒状突設部２５ｂの溝２５ｃに係止される複数の突起３２ｂが配設されている。
【０００９】
このように、正極端子２３の端子部２３ｂが柱状であり、この端子部２３ｂの通されるセンター端子２５の貫通穴２６も円形である。また、センター端子２５の円筒状突設部２５ｂの外周も円形であり、この円筒状突設部２５ｂの通される封口板３１の穴も円形である。
【００１０】
これらは、単純な構造ではあるが、正極端子２３の端子部２３ｂに異常な回転力がかかった場合には、封口板３１に対して正極端子２３は回転され易いと言える。一方、集電板１５側は、外装容器２１の底部２１ａに対して固定されている。このため、正極端子２３が回転された場合にはこの正極端子２３に溶接された集電板１３も回転し、固定された集電板１５側との間でねじれを生じ、回転力如何によっては帯状部１７が切断されるおそれがあった。
【００１１】
本発明はこのような従来の課題に鑑みてなされたもので、電極端子の固定を強固にすることで素子体との間の電気的接続が切断されるのを防止可能な蓄電素子を提供することを目的とする。
【課題を解決するための手段】
【００１２】
このため本発明（請求項１）は、長尺状の集電箔と、該集電箔の長辺に沿った帯状部を残して前記集電箔の少なくとも片面に形成された長尺状の電極とからなる第１の電極体及び第２の電極体と、前記第１の電極体と前記第２の電極体の間に介在する長尺状のセパレータと、前記第１の電極体及び前記第２の電極体とそれぞれ電気的に接続して電流を外部に取り出す第１の外部端子及び第２の外部端子と、電解液と、前記第１の電極体、前記第２の電極体、前記セパレータ及び電解液を収容し、前記第２の外部端子を備える又は前記第２の外部端子の機能を有する金属ケースと、前記第１の外部端子が貫通される封口板貫通口を有し、前記金属ケースを封口するための封口板と、該封口板と前記第１の外部端子との間に介在され、前記第１の外部端子が貫通される絶縁体貫通口を有する絶縁体とを備える蓄電素子であって、前記第１の電極体と前記第２の電極体は、セパレータを介して捲回されて柱状の素子体を形成し、前記第１の電極体の帯状部及び前記第２の電極体の帯状部は互いに反対側にセパレータからはみ出るように配置されており、前記絶縁体と前記封口板間及び前記絶縁体と前記第１の外部端子間は係止され該第１の外部端子が前記封口板に対して回転されないことを特徴とする。
【００１３】
蓄電素子は、電気二重層キャパシタ、電解コンデンサ、電池等である。封口板は、金属ケースに対して固定されている。絶縁体と封口板間及び絶縁体と第１の外部端子間は係止され、第１の外部端子が封口板に対して回転されない。このため、第１の外部端子に異常な回転力がかかった場合であっても薄い帯状の帯状部が切断されることもなくなる。また、絶縁体の介在により、第１の外部端子は封口板に対して絶縁が維持される。
【００１４】
また、本発明（請求項２）は、前記絶縁体と前記第１の外部端子間には、前記第１の外部端子が貫通されるセンター端子貫通口を有すると共に前記絶縁体の絶縁体貫通口に貫通するセンター端子を備え、該センター端子と前記絶縁体間及び該センター端子と前記第１の外部端子間は係止され該第１の外部端子が前記封口板に対して回転されないことを特徴とする。
【００１５】
センター端子を備えたことで、このセンター端子に対してＯリング等を配設可能となりシール構造が簡単かつ確実に行える。
【発明の効果】
【００１６】
以上説明したように本発明によれば、絶縁体と封口板間及び絶縁体と第１の外部端子間は係止され、第１の外部端子が封口板に対して回転されない。このため、第１の外部端子に異常な回転力がかかった場合であっても薄い帯状の帯状部が切断されることもなくなる。また、絶縁体の介在により、第１の外部端子は封口板に対して絶縁が維持される。
【発明を実施するための最良の形態】
【００１７】
以下、本発明の実施形態について説明する。ここでは第１の電極体が正極体、第２の電極体が負極体である場合について説明するが、正極と負極が反対であってもかまわない。本発明の第１実施形態である集電構造を有する電気二重層キャパシタの縦断面図及び平面図を図１に示す。図１中の縦断面図は平面図中に切断線Ａ−Ａで示すところのＡ−Ａ矢視線断面図である。なお、図１中の丸枠で囲った範囲の部分拡大図を図２に示す。更に、図３は、図１中の平面図中に切断線Ｂ−Ｂで示すところのＢ−Ｂ矢視線断面図である。また、図３中の丸枠で囲った範囲の部分拡大図を図４に示す。
【００１８】
更に、正極端子周りの回り止め構造を説明するための分解斜視図を図５及び図６に示す。図５は斜め上方より見た分解斜視図であり、一方図６は斜め下方より見た分解斜視図である。なお、図１９及び図２０と同一要素のものについては同一符号を付して説明は省略する。
【００１９】
図１〜図６において、正極端子２０３は、円板状の底面２０３ａに対して中央より角状の角状突設部２０３ｄとその上部に更に柱状の端子部２０３ｂが突設されている。端子部２０３ｂの先端内側にはボルト穴２０３ｃが刻設されている。そして、このボルト穴２０３ｃには、図示しないバスバーを取り付ける際にバスバー上部よりボルトが螺入されるようになっている。センター端子２０５は基部２０５ａより突設された円筒状突設部２０５ｂを有し、その円筒状突設部２０５ｂの中央には正極端子２０３の端子部２０３ｂが貫通される貫通穴２０６が形成されている。
【００２０】
また、基部２０５ａは両端が下方に向けてコの字状に突設された壁部２０５ｄを有し、この壁部２０５ｄの内側は丁度隙間無く角状突設部２０３ｄの外壁に当接されるようになっている。円筒状突設部２０５ｂの外壁には周状に溝２０５ｃが刻設されている。封口板３０１は、中空円板状底面３０１ａの上面から周状に突設された外周壁３０１ｂを有する。中空円板状底面３０１ａの裏側にはその断面がコの字状の溝３０１ｄが形成されている。この溝３０１ｄが刻設されたことで、溝３０１ｄを挟む両側には円弧状突設部３０１ｅが隆起されたようになっている。
【００２１】
そして、この中空円板状底面３０１ａの上端面にはリング状の絶縁ワッシャ２９が当接されるようになっている。一方、中空円板状底面３０１ａの下端面には矩形状に形成された絶縁ワッシャ２０７が溝３０１ｄに嵌合されるようになっている。この絶縁ワッシャ２０７の両側部にはコの字状に突設された壁部２０７ａを有し、この壁部２０７ａの内側は丁度隙間無く基部２０５ａの側壁に当接されるようになっている。一方、壁部２０７ａの外側は円弧状突設部３０１ｅの内側壁に当接されるようになっている。
【００２２】
このように、正極端子２０３の角状突設部２０３ｄが角状であり、センター端子２０５の壁部２０５ｄの内側と当接されることでお互いの間で回転はされない。同様に、絶縁ワッシャ２０７の壁部２０７ａとセンター端子２０５の基部２０５ａ間でもお互いの間で回転はされない。更に、封口板３０１の溝３０１ｄと絶縁ワッシャ２０７の壁部２０７ａ間でもお互いの間で回転はされない。このため、正極端子２０３は外装容器２１に固定された封口板３０１との間で回転はされなくなる。
【００２３】
次に、本発明の素子体の構成図を図７に、図７中のＢ矢視線図（セパレータを省略したもの）を図８に示す。図１〜図８において、本発明の電気二重層キャパシタの単体セル１００は、従来の単体セル５０と同様に、図示しない電解液が含浸された柱状の素子体１０１が、外装容器２１及び封口板３０１により密閉収容されている。
【００２４】
このとき、本発明の素子体１０１の正極及び負極を構成する電極体１０３Ａ、１０３Ｂは、長尺帯状の集電箔１０７Ａ、１０７Ｂと、この集電箔１０７Ａ、１０７Ｂの両面にその長手方向の１辺の全長に沿った端部帯状部１０８Ａ、１０８Ｂを残して形成された電極層９Ａ、９Ｂとを有している。
【００２５】
なお、電極層９Ａ、９Ｂには、従来の電極体３Ａ、３Ｂと同様に、集電箔１０７Ａ、１０７Ｂに電気二重層を形成し蓄電機能を果たすため、高比表面積材料が用いられる。また、電極層９Ａ、９Ｂは、それぞれ集電箔１０７Ａ、１０７Ｂの両面に形成されても良い。更に、図８では、電極体１０３Ａ、１０３Ｂにおいて、その端部帯状部１０８Ａ、１０８Ｂと逆側の１辺にも帯部１０８Ｃ、１０８Ｄが僅かに残されているが、この帯部１０８Ｃ、１０８Ｄは、電極体１０３Ａ、１０３Ｂを製造する上で、集電箔１０７Ａ、１０７Ｂと電極層９Ａ、９Ｂとの間に必要な余裕を示したものに過ぎず、素子体１０１のエネルギー密度の観点からは、設けない方が好ましい。
【００２６】
そして、この電極体１０３Ａ、１０３Ｂは、それぞれの端部帯状部１０８Ａ、１０８Ｂが、セパレータ５Ａ、５Ｂの長手方向に沿って互いに反対側にセパレータ５Ａ、５Ｂより突出するように捲回されており、これにより柱状の素子体１０１が形成されるようになっている。なお、この素子体１０１の最外周部分には、電極体１０３Ａあるいは電極体１０３Ｂを覆うべく、図示しない絶縁部材が配置されるようになっている。この絶縁部材は、セパレータ５であると好ましい。電極体１０３Ａ、１０３Ｂよりも長尺状のセパレータ５を用いて捲回すれば、セパレータ５により最外周部分が覆われた素子体１０１が容易に得られるため好ましい。
【００２７】
そして、このように形成された素子体１０１の渦巻き様の両端面からは、それぞれ電極体１０３Ａ、１０３Ｂの端部帯状部１０８Ａ、１０８Ｂが別々に露出されている。また、この端部帯状部１０８Ａ、１０８Ｂには、集電板１４１Ａ、１４１Ｂが接合されるようになっている。この集電板１４１Ａの上部には円柱状の正極端子２０３が溶着されている。この正極端子２０３は、集電板１４１Ａの中心に位置されている。
【００２８】
次に、集電板１４１Ａの構成図を図９に示す。なお、集電板１４１Ｂの構成図も同様であるので省略する。
図９において、集電板１４１Ａは点対称の形状を有し、素子体１０１の捲回断面と略同面積を有する円板状の板部１４３Ａを有し、捲回断面と平行な方向に配置されている。そして、この板部１４３Ａの一方の面には、電極体１０３Ａの端部帯状部１０８Ａが接合されている。このとき、端部帯状部１０８Ａと板部１４３Ａとの接合には、機械的押し付け、導電性接着剤等による導電接着があるが、機械的、電気的に信頼性の高い溶接接合が好ましい。また、この溶接法には、超音波溶接、ＹＡＧ等のレーザー溶接、電子ビーム溶接法が好適に用いられる。
【００２９】
そして、この溶接では、板部１４３Ａの中心部１４５Ａから外周端までの距離が均等になるように、中心部から外周に向かって放射状に溶接されることが望ましい。
図９に示すように、集電板１４１Ａと端部帯状部１０８Ａ間は、板部１４３Ａの中央部から放射線状に線溶接される（線溶接部分を図９中線溶接部１４７Ａで示す）。線溶接を点対称中心（中心部１４５Ａ）に対して対称になるような角度で行うと、効果的に接触抵抗を低減でき好ましい。
【００３０】
以上説明したように、正極端子２０３は外装容器２１に固定された封口板３０１との間で回転されなくなっているため、正極端子２０３の端子部２０３ｂに異常な回転力がかかった場合であっても薄い帯状の帯状部１０８Ａが切断されることもなくなる。
【００３１】
次に、本発明の第２実施形態について説明する。本発明の第２実施形態である集電構造を有する電気二重層キャパシタの縦断面図及び平面図を図１０に示す。図１０中の縦断面図は平面図中に切断線Ｃ−Ｃで示すところのＣ−Ｃ矢視線断面図である。なお、図１１は、図１０中の平面図中に切断線Ｄ−Ｄで示すところのＤ−Ｄ矢視線断面図である。
【００３２】
更に、正極端子周りの回り止め構造を説明するための分解斜視図を図１２及び図１３に示す。図１２は斜め上方より見た分解斜視図であり、一方図１３は斜め下方より見た分解斜視図である。なお、図５及び図６と同一要素のものについては同一符号を付して説明は省略する。
【００３３】
図１０〜図１３において、正極端子３０３は、円板状の底面３０３ａに対して中央より柱状の端子部３０３ｂが突設されている。端子部３０３ｂの先端内側にはボルト穴３０３ｃが刻設されている。そして、このボルト穴３０３ｃには、図示しないバスバーを取り付ける際にバスバー上部よりボルトが螺入されるようになっている。底面３０３ａからは４本のリブ３０４が端子部３０３ｂ側面に沿って立設されている。リブ３０４は、底面３０３ａの中心を挟んで直交する位置にそれぞれ配設されている。
【００３４】
センター端子３０５は角柱状の基部３０５ａより突設された円筒状突設部３０５ｂを有し、その円筒状突設部３０５ｂの中央には正極端子３０３の端子部３０３ｂが貫通される貫通穴３０６が形成されている。また、基部３０５ａは角柱の各周面に直交され、かつ基部３０５ａの中心を通る位置にスリット３０５ｄが設けられている。このスリット３０５ｄは下方に向けて開口され、かつ貫通穴３０６と連通されている。スリット３０５ｄには、正極端子３０３のリブ３０４が嵌合されるようになっている。円筒状突設部３０５ｂの外壁には周状に溝３０５ｃが刻設されている。絶縁ワッシャ２０７の両側部にはコの字状に突設された壁部２０７ａを有し、この壁部２０７ａの内側は丁度隙間無くセンター端子４０５の基部３０５ａの側壁に当接されるようになっている。
【００３５】
このように、正極端子３０３のリブ３０４が、センター端子２０５のスリット３０５ｄに嵌合されることでお互いの間で回転はされない。同様に、絶縁ワッシャ２０７の壁部２０７ａとセンター端子３０５の基部３０５ａ間でもお互いの間で回転はされない。更に、封口板３０１の溝３０１ｄと絶縁ワッシャ２０７の壁部２０７ａ間でもお互いの間で回転はされない。このため、正極端子３０３は外装容器２１に固定された封口板３０１との間で回転はされなくなる。
【００３６】
次に、本発明の第３実施形態について説明する。本発明の第３実施形態である集電構造を有する電気二重層キャパシタの縦断面図及び平面図を図１４に示す。  図１４中の縦断面図は平面図中に切断線Ｅ−Ｅで示すところのＥ−Ｅ矢視線断面図である。なお、図１５は、図１４中の平面図中に切断線Ｆ−Ｆで示すところのＦ−Ｆ矢視線断面図である。
【００３７】
更に、正極端子周りの回り止め構造を説明するための分解斜視図を図１６及び図１７に示す。図１６は斜め上方より見た分解斜視図であり、一方図１７は斜め下方より見た分解斜視図である。なお、図５及び図６と同一要素のものについては同一符号を付して説明は省略する。
【００３８】
図１４〜図１７において、正極端子４０３は、円板状の底面４０３ａに対して中央より柱状の端子部４０３ｂが突設されている。端子部４０３ｂの先端内側にはボルト穴４０３ｃが刻設されている。そして、このボルト穴４０３ｃには、図示しないバスバーを取り付ける際にバスバー上部よりボルトが螺入されるようになっている。底面４０３ａ上の端子部４０３ｂ周囲には一対の円弧状突設部４０３ｄが隆起されている。そして、この対となった円弧状突設部４０３ｄの間には凹部４０４が形成されている。
【００３９】
センター端子４０５は鍔部４０５ａより突設された円筒状突設部４０５ｂを有し、その円筒状突設部４０５ｂの中央には正極端子４０３の端子部４０３ｂが貫通される貫通穴４０６が形成されている。円筒状突設部４０５ｂの外壁には周状に溝４０５ｃが刻設されている。鍔部４０５ａの下面には、円弧状突設部４０３ｄの凹部４０４と嵌合される一対のリブ４０８が突設されている。
【００４０】
また、同様にこの鍔部４０５ａの上面側にも、一対のリブ４０９が突設されている。一方、絶縁ワッシャ４０７の下面には、リブ４０９と嵌合される一対の凹部４０７ａが形成されている。更に、この絶縁ワッシャ４０７の側面には、一対の切欠４０７ｂが形成されている。
【００４１】
封口板４０１は、中空円板状底面４０１ａの上面から周状に突設された外周壁４０１ｂを有する。中空円板状底面４０１ａの裏側には絶縁ワッシャ４０７の切欠４０７ｂと嵌合される一対のリブ４０１ｃが突設されている。
【００４２】
このように、正極端子４０３の凹部４０４が、センター端子２０５のリブ４０８に嵌合されることでお互いの間で回転はされない。同様に、絶縁ワッシャ４０７の凹部４０７ａとセンター端子４０５のリブ４０９間でもお互いの間で回転はされない。更に、封口板４０１のリブ４０１ｃと絶縁ワッシャ４０７の切欠４０７ｂ間でもお互いの間で回転はされない。このため、正極端子４０３は外装容器２１に固定された封口板４０１との間で回転はされなくなる。
【００４３】
以上のような本発明の集電構造を有する電気二重層キャパシタの最適例について説明する。
正極及び負極を構成する電極体１０３Ａ、１０３Ｂに用いられる集電箔１０７Ａ、１０７Ｂの材質は、正極側の電気化学耐食性に優れるものであれば特に限定されないが、加工性、軽量化の点でアルミニウム、アルミニウム合金、ステンレス鋼の箔材が好適である。
【００４４】
また、電極層９Ａ、９Ｂに用いられる高比表面積材料は、比表面積１００〜３０００ｍ2／ｇの炭素質材料を主体として形成され、フェノール等の樹脂系、やしがら系、コークス系又はピッチ系の活性炭、及びカーボンナノチューブ、カーボンエアロゲル、ポリアセン等が好ましく使用でき、導電助剤としてはカーボンブラック、炭素短繊維、金属ファイバが好適である。更に、正極と負極に用いられる電極層９Ａ、９Ｂは同じ材料で構成されても良いし、異なる材料で構成されても良い。
【００４５】
また、セパレータ５Ａ、５Ｂの材質は、イオン透過性を有する部材であれば良く、電気絶縁性と電解液に対する化学的安定性、電解液の吸液量が多く保液性に優れる多孔質材料からなることが好ましい。具体的には、ガラス繊維、シリカファイバ、アルミナファイバ、アスベスト、及びこれらのウィスカ等の無機材料や、マニラ麻紙、セルロース紙、クラフト紙、レーヨン繊維とサイザル麻の混沙紙等の紙材料、ポリオレフィン、ポリエステル等の合成ポリマー繊維等の有機材料からなることが好ましい。また、それらを抄造したシート、延伸操作によって微孔を設けたマイクロポーラスフィルム等が好ましい。
【００４６】
更に、集電板１４１Ａ、１４１Ｂの材質は、集電箔１０７Ａ、１０７Ｂと同じ材質が望ましく、アルミニウム、アルミニウム合金、ステンレス鋼が最適である。なお、設計時の加工性及び単体セル１００の低抵抗化を考慮すると、集電板１４１Ａ、１４１Ｂの厚さは０．３ｍｍ以上であることが好ましく、また１．０ｍｍ以下であることが好ましい。
【００４７】
更に、端子２０３、３０３、４０３の材質は、抵抗を低くするために、集電箔１０７Ａ、１０７Ｂと同じ材質が望ましく、アルミニウム、アルミニウム合金、ステンレス鋼が最適であるが、銅を使用することも可能である。
【図面の簡単な説明】
【００４８】
【図１】本発明の第１実施形態である集電構造を有する電気二重層キャパシタの縦断面図及び平面図
【図２】図１中の丸枠で囲った範囲の部分拡大図
【図３】図１中のＢ−Ｂ矢視線断面図
【図４】図３中の丸枠で囲った範囲の部分拡大図
【図５】正極端子周りの回り止め構造を説明するための斜め上方より見た分解斜視図
【図６】正極端子周りの回り止め構造を説明するための斜め下方より見た分解斜視図
【図７】本発明の素子体の構成図
【図８】図７中のＢ矢視線図（セパレータを省略したもの）
【図９】集電板の構成図（正極）
【図１０】本発明の第２実施形態である集電構造を有する電気二重層キャパシタの縦断面図及び平面図
【図１１】図１０中のＤ−Ｄ矢視線断面図
【図１２】正極端子周りの回り止め構造を説明するための斜め上方より見た分解斜視図
【図１３】正極端子周りの回り止め構造を説明するための斜め下方より見た分解斜視図
【図１４】本発明の第３実施形態である集電構造を有する電気二重層キャパシタの縦断面図及び平面図
【図１５】図１４中のＦ−Ｆ矢視線断面図
【図１６】正極端子周りの回り止め構造を説明するための斜め上方より見た分解斜視図
【図１７】正極端子周りの回り止め構造を説明するための斜め下方より見た分解斜視図
【図１８】従来の集電構造を有する電気二重層キャパシタの平面図及び縦断面図
【図１９】従来の正極端子周りの回り止め構造を説明するための斜め上方より見た分解斜視図
【図２０】従来の正極端子周りの回り止め構造を説明するための斜め下方より見た分解斜視図
【符号の説明】
【００４９】
５  セパレータ
９Ａ、９Ｂ  電極層
１１  巻き芯
２１  外装容器
２７、２９、２０７、４０７  絶縁ワッシャ
３２  サラバネ
１００  単体セル
１０１  素子体
１０３Ａ、１０３Ｂ  電極体
１０７Ａ、１０７Ｂ  集電箔
１０８Ａ、１０８Ｂ  端部帯状部
１４１Ａ、１４１Ｂ  集電板
１４３Ａ  板部
１４７Ａ  線溶接部
２０３、３０３、４０３  正極端子
２０３ｄ  角状突設部
２０５ａ、３０５ａ  基部
２０５ｄ、２０７ａ  壁部
２０３ａ、３０３ａ、４０３ａ  底面
２０３ｂ、３０３ｂ、４０３ｂ  端子部
２０３ｃ、３０３ｃ、４０３ｃ  ボルト穴
２０５、３０５、４０５  センター端子
２０５ｂ、３０５ｂ、４０５ｂ  円筒状突設部
２０５ｃ、３０５ｃ、３０１ｄ、４０５ｃ  溝
２０６、３０６、４０６  貫通穴
３０１ｅ、４０３ｄ  円弧状突設部
３０４、４０１ｃ、４０８、４０９  リブ
３０５ｄ  スリット
３０１、４０１  封口板
３０１ａ、４０１ａ  中空円板状底面
３０１ｂ、４０１ｂ  外周壁
４０４、４０７ａ  凹部
４０５ａ  鍔部
４０７ｂ  切欠
【図１】
2006313795.tif 000003
【図２】
2006313795.tif 000004
【図３】
2006313795.tif 000005
【図４】
2006313795.tif 000006
【図５】
2006313795.tif 000007
【図６】
2006313795.tif 000008
【図７】
2006313795.tif 000009
【図８】
2006313795.tif 000010
【図９】
2006313795.tif 000011
【図１０】
2006313795.tif 000012
【図１１】
2006313795.tif 000013
【図１２】
2006313795.tif 000014
【図１３】
2006313795.tif 000015
【図１４】
2006313795.tif 000016
【図１５】
2006313795.tif 000017
【図１６】
2006313795.tif 000018
【図１７】
2006313795.tif 000019
【図１８】
2006313795.tif 000020
【図１９】
2006313795.tif 000021
【図２０】
2006313795.tif 000022